(57)【要約】【課題】  ＣＡＤシステムを用いて設計された図面に対し、人手による手間を軽減して必要な属性情報を信頼性よく抽出し、図面情報を適切に管理して図面情報の検索を精度良く容易に行う。【解決手段】  図面に記載される機器や設備の種別などのカテゴリ毎に抽出すべき属性情報を予め設定した抽出パターン３ａを用いて、選択情報作成手段５により、図面情報データベース１内の選択された工事図面情報１ａを検索して属性情報を抽出し該工事に対する選定属性情報２ａを作成する。そして、各工事、製品毎に作成した選定属性情報２ａを選定表データベース２に格納して、図面情報の検索時には、選定表データベース２内を検索して所望の図面情報の図番などの情報を抽出して用いる。【選択図】        図１
2005309959.tif 000002
【特許請求の範囲】
【請求項１】
電子計算機を用いた設計支援システムにおける図面管理システムにおいて、工事や製品（以下、事柄と称す）毎に既に設計された図面情報を各図面内の属性情報を備えて記憶する図面情報データベースと、図面に記載される機器や設備の種別、動力など複数のカテゴリ毎に抽出すべき属性情報を予め設定した複数の抽出パターンと、情報を表示しながら処理する表示処理部と、所定の事柄に対応する上記図面情報データベース内の図面情報を選択し、該選択された図面情報から、上記各カテゴリ毎に順次上記複数の抽出パターンを参照して属性情報を抽出して、該事柄に対応する選定属性情報を作成する選定情報作成手段と、該選定情報作成手段により作成した上記事柄毎の選定属性情報を記憶する選定情報データベースとを備えたことを特徴とする図面管理システム。
【請求項２】
上記選定情報データベース内の上記事柄毎の選定属性情報は、上記複数のカテゴリに分類整理された表形式で上記表示処理部により表示可能としたことを特徴とする請求項１記載の図面管理システム。
【請求項３】
上記複数の抽出パターン内に上記事柄の表題を上記カテゴリとした抽出パターンを備え、該抽出パターンは、選択された図面情報の中から上記表題を抽出するための識別情報が設定されたことを特徴とする請求項１または２記載の図面管理システム。
【請求項４】
上記複数の抽出パターン内に、図面に記載される機器や設備の種別を上記カテゴリとした抽出パターンを備え、該抽出パターンは、該カテゴリにて抽出対象となる機器や設備の識別情報が設定されたことを特徴とする請求項１〜３のいずれかに記載の図面管理システム。
【請求項５】
上記機器や設備の識別情報に、対象機器（設備）の数量や性能を示す情報を付加し、該付加された識別情報に基づいて、上記選定情報作成手段により上記属性情報を抽出することを特徴とする請求項４記載の図面管理システム。
【請求項６】
上記抽出パターンに設定される識別情報を追加あるいは削除する手段を備え、該識別情報の追加、削除が為されると、上記選定情報データベース内の選定属性情報における、上記抽出パターンに対応するカテゴリの属性情報を再作成して更新することを特徴とする請求項４または５に記載の図面管理システム。
【請求項７】
上記カテゴリを追加あるいは削除すると共に該カテゴリに対応する抽出パターンを追加あるいは削除する手段を備え、上記カテゴリの追加、削除が為されると、上記選定情報データベース内の選定属性情報を再作成して更新することを特徴とする請求項１〜６のいずれかに記載の図面管理システム。
【請求項８】
上記選定情報作成手段は、選択された図面情報を構成する１〜複数の図面を、各図面毎に順次上記複数の抽出パターンを参照して属性情報を抽出し、上記事柄に対応する選定属性情報を作成することを特徴とする請求項１〜７のいずれかに記載の図面管理システム。
【請求項９】
上記表示処理部に、上記図面情報データベースから所望の図面情報を抽出して表示させる検索手段を備え、該検索手段は、与えられた条件に基づいて上記選定情報データベース内を検索して選定属性情報を抽出し、該抽出された選定属性情報に基づいて上記図面情報を抽出することを特徴とする請求項１〜８のいずれかに記載の図面管理システム。
【請求項１０】
新規な事柄について上記図面情報データベース内に図面情報が登録されると、上記選定情報作成手段は該事柄に対応する選定属性情報を作成して上記選定情報データベースに記憶することを特徴とする請求項１〜９のいずれかに記載の図面管理システム。
【発明の詳細な説明】
【技術分野】
【０００１】
この発明は、電子計算機を用いた設計支援システム（以下、ＣＡＤシステムと称す）にて設計された図面情報を管理する図面管理システムに関するものである。
【背景技術】
【０００２】
従来の図面管理システムでは、情報を表示しながら処理する表示処理手段にて対象情報を作成、処理するとともに、その際にその属性情報を作成して管理情報データベースに格納しておく。そして、管理情報データベースに格納された属性情報を用いて対象情報にアクセスして、情報の新規作成、流用、変更、検索、参照などを行う（例えば、特許文献１参照）。
【０００３】
【特許文献１】特開平８−１３７８９９号公報
【発明の開示】
【発明が解決しようとする課題】
【０００４】
以上のような従来の図面管理システムでは、図面参照、流用設計、設計変更時等に必要な図面を精度良く検索するためには、図面の属性情報を作成して管理情報データベースに格納する際に、用途や大区分、小区分、大分類、小分類、親−子関係などの属性情報をユーザが詳細に決定する必要がある。このため、手間がかかると共に、属性情報決定時のユーザごとに入力情報にばらつきを生じ、後で行う図面検索の際に統一的に利用できないという問題があった。
また、図面を作成、処理する際に作成した属性情報を格納して利用するため、その後に属性情報を追加することができず、既に作成されて格納されている図面を検索する検索精度を向上させることは困難であった。
【０００５】
この発明は、上記のような問題点を解消するために成されたものであって、ＣＡＤシステムを用いて設計された図面に対し、人手による手間を軽減して容易に信頼性よく情報を格納し、図面情報を適切に管理できる図面管理システムを提供することを目的とする。さらにこのような図面管理システムを用いて、所望の図面情報を速やかに精度良く検索、参照することを目的とする。
【課題を解決するための手段】
【０００６】
この発明に係る図面管理システムは、工事や製品（以下、事柄と称す）毎に既に設計された図面情報を各図面内の属性情報を備えて記憶する図面情報データベースと、複数の抽出パターンと、情報を表示しながら処理する表示処理部と、上記事柄に対応する選定属性情報を作成する選定情報作成手段と、該選定情報作成手段により作成した上記事柄毎の選定属性情報を記憶する選定情報データベースとを備える。上記抽出パターンは、図面に記載される機器や設備の種別、動力など複数のカテゴリ毎に抽出すべき属性情報を予め設定したものである。また、上記選定情報作成手段は、所定の事柄に対応する上記図面情報データベース内の図面情報を選択し、該選択された図面情報から、上記各カテゴリ毎に順次上記複数の抽出パターンを参照して属性情報を抽出して、上記事柄に対応する選定属性情報を作成するものである。
【発明の効果】
【０００７】
この発明による図面管理システムでは、選定情報作成手段が、抽出すべき属性情報を予め設定した複数の抽出パターンを参照して図面情報から属性情報を抽出し、選定属性情報を作成する。このため人手によらず容易に必要な属性情報が選定された選定属性情報が作成できる。またこの選定属性情報をデータベースに格納して図面管理に用いることにより図面情報を適切に管理できて、図面情報を検索して利用する際の利便性が向上する。
【発明を実施するための最良の形態】
【０００８】
実施の形態１．
以下、この発明の実施の形態１について説明する。図１はこの発明の実施の形態１による図面管理システムの概略構成図である。
図１に示すように、事柄毎に既に設計された図面情報（以下、工事図面情報１ａと称す）を各図面内の属性情報を備えて記憶する図面情報データベース１と、図面管理のために有用な属性情報が事柄毎に選定された選定属性情報２ａを記憶する選定情報データベースとしての選定表データベース２と、予め設定された抽出パターン３ａを記憶する抽出パターンデータベース３と、情報を表示しながら処理する表示処理部４とを備える。また、表示処理部４は、選定属性情報２ａを作成するための選定情報作成手段５を備える。
【０００９】
ところで、電子計算機を用いて図面設計を行うＣＡＤシステムでは、各図面に対し図面内に記載される各パーツ毎の各種属性情報を、その図面の作成時に作成して保持している。この発明による図面管理システムでは、ＣＡＤシステムにて事柄毎に設計された図面情報を管理するもので、ＣＡＤシステムが作成した各図面毎の属性情報を含む図面情報が格納されたデータベースを図面情報データベース１として用いる。なお、表示処理部４についても、ＣＡＤシステムにおける図面作成処理に共用するものであっても良い。
【００１０】
表示処理部４内の選定情報作成手段５は、図面情報データベース１内の工事図面情報１ａから図面管理のために有用な属性情報を事柄毎に抽出して選定属性情報２ａを作成して選定表データベース２に格納する。また属性情報を事柄毎に抽出する際に、抽出パターンデータベース３内の抽出パターン３ａを用いて図面情報データベース１内の工事図面情報１ａにアクセスするように構成されている。抽出パターンデータベース３内の抽出パターン３ａは、図面に記載される機器や設備の種別、動力など複数のカテゴリ毎に抽出すべき属性情報を予め設定した抽出基準となるもので、抽出すべき属性情報を識別するための識別情報が設定される。
【００１１】
次に選定属性情報２ａを作成して選定情報データベースに格納する動作について図２のフローチャートおよび図３の説明図に基づいて以下に説明する。
表示処理部４では選定表データベース２内の情報を表形式で表示する機能を有し、既に作成された事柄毎の選定属性情報は、図３に示すように選定表６として表示処理部４の画面に表示される。
まず、選定属性情報が未作成の事柄に対する図面情報データベース１内の図面情報である工事図面情報１ｂを、例えばその工事について図面情報がまとめて格納されたフォルダを選択指定する。これは、例えば選定表６の新規登録部へマウスでドラッグアンドドロップするなどして、ユーザが図面情報のある場所を指示する（Ｓ１）。
選定情報作成手段５は、抽出パターンデータベース３に格納された抽出パターン３ａを順次参照し、選択された工事図面情報１ｂから表題としての工事件名、負荷、計装機器などの機器種別、動力電圧などのカテゴリ毎の属性情報を抽出する。ここでの処理についての詳細は、後述する（Ｓ２）。続いて、抽出された属性情報からその事柄に対する選定属性情報２ｂを作成し選定表データベース２に格納する（Ｓ３）。
そして、新たに作成された選定属性情報２ｂが追加された選定表７が画面に表示される（Ｓ４）。
【００１２】
上記ステップＳ２での、選定情報作成手段５による上記属性情報の抽出処理について、図４のフローチャートに基づいて以下に詳細に説明する。
選択されたフォルダ内から属性情報の抽出処理を開始（Ｔ１）すると、図面の各シートに対応する属性情報に対し、まず、抽出パターンデータベース３内の表題抽出用抽出パターンを参照してその抽出基準に基づき、そのシートが表紙であるかを判断し（Ｔ３）、表紙であればその工事件名等を事柄の表題として抽出する（Ｔ４）。
次に、抽出パターンデータベース３内の負荷抽出用抽出パターンを参照してその抽出基準に基づき、そのシートに負荷があるかを判断し（Ｔ５）、負荷があれば負荷名称の判定（Ｔ６）、負荷容量の抽出（Ｔ７）、起動方式の判定（Ｔ８）、動力電源電圧（Ｔ９）の判定を行う。なお、属性情報の抽出は、格納された属性情報をそのまま抽出して選定属性情報に用いても良いし、予め抽出パターンに判定情報を付加しておき、抽出された属性情報から名称、方式などを判定して選定属性情報に用いるようにしても良い。
【００１３】
次に、抽出パターンデータベース３内の対象機器抽出用抽出パターンを参照してその抽出基準に基づき、そのシートに抽出対象機器があるかを判断し（Ｔ１０）、抽出対象機器があればその機器名や型名の抽出を行う（Ｔ１１）。さらに、抽出パターンデータベース３内の他の抽出パターンを参照してＴ３〜Ｔ１１と同様に必要な処理があれば抽出・判定処理を行う（Ｔ１２）。
以上Ｔ３〜Ｔ１２までの処理を図面のシート枚数分繰り返す（Ｔ２，Ｔ１３）。さらに、名称・容量・電圧・起動方式が同一の負荷があるかを判定し（Ｔ１４）、あればその負荷の情報を「−−ポンプ直入れ起動1.5ｋＷ×３」の様にまとめ（Ｔ１５）、属性情報の抽出処理を終了する（Ｔ１６）。
【００１４】
この実施の形態では、カテゴリ毎に抽出すべき属性情報を予め設定した抽出パターンを属性情報の抽出基準に用いて、図面情報データベース１内の工事図面情報１ａから図面管理のために有用な属性情報を事柄毎に抽出する。そして抽出した属性情報から事柄毎の選定属性情報２ａを作成して選定表データベース２に格納する。このため、ユーザが用途や大区分、小区分、大分類、小分類、親−子関係などの属性情報を図面管理のために決定する必要が無く、ＣＡＤシステムにて図面設計時に作成された属性情報を含む図面情報から工事や製品などの事柄を選択指定することで自動的に属性情報が抽出されて選定属性情報２ａが選定表データベース２に格納される。このため、容易に信頼性よく情報を格納し、図面情報を適切に管理することができる。また、ユーザごとの入力情報のばらつきを無くすことができるので、図面検索の際に情報を統一的に利用することが出来る。
なお、ＣＡＤシステムにて設計された図面情報が図面情報データベース１に格納された時点で、その新規図面情報から属性情報を抽出して選定属性情報２ａを作成するようにすれば、常に、選定表データベース２内の情報を図面情報データベース１内の図面情報に対応させることができ、図面情報が信頼性よく管理できる。
【００１５】
実施の形態２．
上記実施の形態１における選定情報作成手段５による属性情報抽出処理でのステップＴ３およびＴ４の処理（図４参照）について、表題抽出用抽出パターンの例を示して以下に説明する。
図５は、この実施の形態２による表題抽出処理を説明する図であり、９は図面データベース１に格納されている図面情報に対応するあるシートであり、本図では表紙図面を示している。１０は抽出パターンデータベース３に格納されている抽出パターンの１つで、本図では表題抽出用抽出パターンとなる表紙判定マスタを示している。
【００１６】
ここで、表紙図面９中の文字１１、１２、１３などはそれぞれ属性を有し、表紙判定マスタ１０の抽出基準と条件が一致すれば、必要な工事件名の情報１３を抽出し、この工事件名１３を選定属性情報の表題として選定表データベース２に格納する。本図では文字１１はシート名の属性、文字１２はシートページの属性、文字１３は工事件名の属性を持っており、表紙判定マスタ１０内の条件、シート名＝“表紙”もしくはシートページ＝“０１”に一致する為、本シートは表紙と判断され（Ｔ３）、工事件名１３を注文元、件名、据付場所として抽出（Ｔ４）している。即ち、シート名（文字１１）、シートページ（文字１２）を表題（工事件名１３）抽出のための識別情報として用い、表題となる工事件名１３を抽出する。
【００１７】
この実施の形態によれば、短時間かつ正確に事柄の表題情報を抽出して選定属性情報に反映することができる。また、図面の属性の記入文字から判断する識別情報を設定した抽出パターンを作成するため、抽出対象となる属性情報（この場合、工事件名）を容易に設定できる。
同様にして、例えば、図番や作成者情報、盤記号などの属性情報を容易に抽出することができる。
【００１８】
実施の形態３．
上記実施の形態１における選定情報作成手段５による属性情報抽出処理でのステップＴ５〜Ｔ９の負荷抽出処理（図４参照）について、図６、図７に基づいて以下に説明する。
図６において、１４は図面情報データベース１に格納されている図面情報に対応するあるシートであり、本図では負荷を含んだ図面を示し、１４ａは該当箇所の拡大図である。
図７において、１５、１５ａおよび１５ｂは抽出パターンデータベース３に格納されている抽出パターンで、本図では、１５は負荷判定マスタ、１５ａは起動方式判定マスタ、１５ｂは動力電圧取得設定マスタを示している。
図中において、１７は負荷を意味するシンボル（パーツ）であり、１８は負荷シンボル１７に付随する属性で負荷容量を表している。１９は電磁接触器を意味するシンボルで、器具番号の属性を持っている。２０は接続線に付随する電線番号、２１はシート名の属性である。
まず、負荷判定マスタ１５を参照し、負荷シンボル１７が負荷判定マスタ１５に設定されたパーツ番号情報を有しているため、本シートに負荷があると判断（Ｔ５）される。これにより負荷名称をシート名２１から抽出し（Ｔ６）、続いて負荷容量１８の抽出（Ｔ７）を行う。
【００１９】
次いで、起動方式判定マスタ１５ａを参照し、電磁接触器シンボル１９が起動方式判定マスタ１５ａに設定された器具番号の情報を有しているかを判断する。本図では“２１”の器具番号を持つシンボルが２つあるため、起動方式は“可逆”と判断される（Ｔ８）。  続いて、動力電圧取得設定マスタ１５ｂを参照し、電線番号２０から動力電源電圧を判断する（Ｔ９）。
以上により得られた負荷属性情報２２ａは、この事柄の他の図面シートの負荷属性情報とともに負荷抽出結果２２としてまとめられ、この事柄に対する選定属性情報の負荷属性情報として選定表データベース２に格納される。
【００２０】
この実施の形態によれば、短時間かつ正確に事柄の負荷属性情報を抽出して選定属性情報に反映することができる。また、図面内のシンボルが有するパーツ属性とそれに付随する記入文字および数量などから総合的に判断させる識別情報を設定した抽出パターンを作成して、抽出された情報から起動方式や動力電圧を判断して選定属性情報の負荷属性情報を作成する。このため、ユーザの入力に依る場合のような、判断ミスや入力間違いを起こすことなく、信頼性の良い図面管理に有用な選定属性情報が作成できる。
同様にして、例えば、リレーやサーキットブレーカ等の機器を表すシンボルとそれに付随する属性から、使用されている機器の型名・定格、数量を抽出する処理や、それらから消費電力を計算する処理等が行える。
【００２１】
実施の形態４．
上記実施の形態１における選定情報作成手段５による属性情報抽出処理でのステップＴ１０〜Ｔ１１の対象機器抽出処理（図４参照）について、図８、図９に基づいて以下に説明する。
図８において、２３は図面情報データベース１に格納されている図面情報に対応するあるシートであり、本図では抽出対象機器を含んだ図面を示し、２３ａは該当箇所の拡大図である。
図９において、２４は抽出パターンデータベース３に格納されている抽出パターンで、本図では、計装機器の抽出対象機器マスタを示している。これは抽出対象となる計装機器を予め決定し、その識別情報が設定された抽出パターンである。
【００２２】
図中において、２５は計装機器を意味するシンボルに付随する、機器型名の属性である。抽出対象機器マスタ２４を参照し、型名２５の“ＴＦ７８５Ｆ０１−９１”が抽出対象機器マスタ２４内の型名に一致すると判断され（Ｔ１０）、その型名が抽出される（Ｔ１１）。
以上により得られた機器属性情報２６ａは、この事柄の他の図面シートの機器属性情報とともに機器抽出結果２６としてまとめられ、この事柄に対する選定属性情報の計装機器属性情報として選定表データベース２に格納される。
【００２３】
この実施の形態によれば、短時間かつ正確に事柄の機器属性情報を抽出して選定属性情報に反映することができる。また、計装機器などの機器種別のカテゴリ毎に抽出対象機器の識別情報を設定した抽出パターンを作成するため、抽出パターンの作成も容易で、信頼性良く容易に所望の属性情報を抽出でき図面管理に有用な選定属性情報が作成できる。
【００２４】
実施の形態５．
次に、選定表データベース２内の選定属性情報２ａを用いて、図面を検索する処理について図１０に基づいて以下に説明する。表示処理部４は検索に必要な条件が与えられると、選定属性情報２ａを用いて図面を検索する検索手段を備える。ここでは、ある特定の、例えば型名“ＴＦ７８５”である計装機器が含まれる図面を検索する処理を示している。
図において、２７は選定表データベース２の内容を画面上に表示した選定表であり、２８は事柄（工事）毎に各カテゴリの情報を表示している情報表示欄である。２９は絞込み検索をする為の条件を入力する検索条件入力欄で、本図では“ＴＦ７８５”という条件が入力されている。なお、検索条件入力欄２９に入力する文字列は複数入力することができ、ＡＮＤまたはＯＲ検索を指定することができる。このようにユーザが検索条件を入力し、条件検索ボタン３０を押下することで検索手段により絞込み検索が開始する。
【００２５】
３１は絞込み検索後の選定表である。ここでは、情報表示欄２８に表示された選定属性情報から、入力された検索条件に基づいて図面検索対象とする工事が選択され、選択欄３２にて表示される。本例では“○○工事”と“▲×工事”が選択されている。ここで、さらに検索条件を追加して絞込みたい場合は検索条件入力欄２９に条件を追加し、条件検索ボタン３０を押下することで、さらに絞込みできる。
この絞込み検索後の選定表３１が表示された画面上で、ユーザが図面検索ボタン３３を押下することで図面検索画面３４が表示される。
【００２６】
図面検索画面３４において、検索文字入力欄３５に、既に入力した検索条件“ＴＦ７８５”が引き続いて表示される。この状態で、必要であれば検索文字入力欄３５に検索条件を直接追加できる。また、図面検索画面３４には、それぞれの検索条件の属性を選択する欄３６を備え、図面の文字列が持つ属性を選択することができる。３７は検索文字入力欄３５の検索条件を検索の対象とするかを決定する欄であり、本例では“ＴＦ７８５”のみ検索対象としている。さらに、ＡＮＤまたはＯＲ検索や空白文字を無効とするか等の検索条件を指定するオプション３８を設ける。
図面検索を実行すると検索結果３９が表示される。この場合、検索対象が記載された図面のシート番号が表示され、検索結果の内容確認や複写、印刷などの処理を行うことができる。また、必要な図面のみ選択して処理を行うこともできる。
【００２７】
この実施の形態によれば、表示処理部４に図面を検索する検索手段を備えて、与えられた検索条件に基づいて、選定表データベース２内の選定属性情報２ａを用いて、所望の図面を検索することができる。選定属性情報２ａは、上記実施の形態１〜４で示したように、ユーザの判断に依ること無く、短時間で容易に、しかも正確に作成されて、図面情報データベース１内の図面情報を整理して管理する情報であり、この選定属性情報２ａを用いて図面検索を行うことで、必要な図面の検索・参照処理時を容易かつ短時間に行うことができる。例えば、抽出対象機器を設定した抽出パターンに、必要な機器を設定しておけば、その機器の使用されている図面を検索する際に、図面情報データベース１内の全ての図面情報から検索する必要が無く、選定属性情報２ａによる選定表上で該機器の使用されている工事や製品を検索でき、さらに図面を特定できる。このように、予め抽出パターンを設定すれば、その後の選定属性情報の作成、およびそれを用いた図面検索、の双方が容易、かつ短時間で行うことができ、所望の図面情報を速やかに精度良く検索、参照することができる。このため、既に作成された図面情報を利用する際の利便性が向上する。
【００２８】
実施の形態６．
次に、抽出パターンデータベース３内の情報の更新時の処理について図１１および図１２に基づいて以下に説明する。
表示処理部４は、抽出すべき属性情報をその識別情報にて設定した抽出パターンに対し、識別情報を追加、削除する手段を備え、既に作成されて抽出パターンデータベース３内に格納された抽出パターンを更新する。図１１に示すように、抽出パターンデータベース３に格納されている抽出対象機器の抽出パターン２４において、所定の条件をユーザが入力して、４０に表される識別情報の項目を削除し、４１に表される識別情報の項目を追加したとする。
これにより、選定情報作成手段５は、更新された抽出パターンを参照して図面情報データベース１にアクセスして再検索を行い、選定属性情報を再作成する。この再作成された選定属性情報により更新された選定表４２では、図に示すように、更新前との違いが分かるように表示させる。即ち、更新された抽出パターンに対応する再作成カテゴリ４３において、例えば、抽出パターンの項目削除に対応して見え消し表示された項目４４ａと、項目追加に対応して赤色太字表示された項目４４ｂとが表示されて、ユーザが確認できる。
このような更新処理は、通常、ユーザにより条件入力された後、夜間や休日に自動的に処理されるようになっており、システムが処理装置にかける負担を減らしている。なお、即時処理が必要な場合は、処理対象とする工事を選択する欄４５にマーキングし、メンテナンスボタン４６を押下することで即時処理される。
【００２９】
また、図１２に示すように、既に作成された選定表データベース２内の選定属性情報（選定表４７）の内容４８に、追加カテゴリ５１を追加して選定属性情報を更新（選定表５０）することもできる。この場合、追加カテゴリ５１に対応する追加抽出パターン４９を新規作成し、抽出パターンデータベース３に追加格納する。これにより、選定情報作成手段５は、新規作成された抽出パターン４９を参照して図面情報データベース１にアクセスして再検索を行い、追加カテゴリ５１における属性情報を抽出して選定属性情報を更新する。
なお、カテゴリの追加について説明したが、削除することもでき、その場合は対応する抽出パターンを削除する、あるいは復帰の可能性がある場合は、見かけ上削除して、利用しないように設定しておいても良い。
またこれらの処理についても、即時処理や夜間処理など必要に応じて更新方法を選択できるようにする。
【００３０】
この実施の形態によれば、抽出パターンデータベース３内の抽出パターンの修正、変更、削除あるいは、新規抽出パターンの追加を行うことで、一旦属性情報を抽出して選定属性情報を選定表データベース２に格納した後でも、抽出する属性情報を追加するなど選定属性情報を変更することが容易に可能になる。このため、格納された選定属性情報を、後日図面検索に用いる際に、属性情報を追加して図面検索の精度を上げることができる。これにより、図面検索のために事前に抽出パターンを詳細に決定する必要がなく、システムの運用の自由度が向上する。
【図面の簡単な説明】
【００３１】
【図１】この発明の実施の形態１による図面管理システムの概略構成図である。
【図２】この発明の実施の形態１による選定属性情報の作成を示すフローチャートである。
【図３】この発明の実施の形態１による選定属性情報の作成を説明する図である。
【図４】この発明の実施の形態１による選定属性情報の抽出処理の詳細を示すフローチャートである。
【図５】この発明の実施の形態２による表題の抽出処理を説明する図である。
【図６】この発明の実施の形態３による負荷抽出処理で用いる図面である。
【図７】この発明の実施の形態３による負荷抽出処理を説明する図である。
【図８】この発明の実施の形態４による対象機器抽出処理で用いる図面である。
【図９】この発明の実施の形態４による対象機器抽出処理を説明する図である。
【図１０】この発明の実施の形態５による図面検索処理を説明する図である。
【図１１】この発明の実施の形態６による抽出パターン更新時の処理を説明する図である。
【図１２】この発明の実施の形態６による抽出パターン追加時の処理を説明する図である。
【符号の説明】
【００３２】
１  図面情報データベース、１ａ  工事図面情報、２  選定表データベース、
２ａ，２ｂ  選定属性情報、３  抽出パターンデータベース、３ａ  抽出パターン、
４  表示処理部、５  選定情報作成手段、６，７  選定表、９  表紙図面、
１０  抽出パターンとしての表紙判定マスタ、１１，１２  識別情報、
１３  表題としての工事件名、１４  図面、
１５  抽出パターンとしての負荷判定マスタ、
１５ａ  抽出パターンとしての起動方式判定マスタ、
１５ｂ  抽出パターンとしての動力電圧取得設定マスタ、２２ａ  負荷属性情報、
２３  図面、２４  抽出パターンとしての抽出機器マスタ、２６ａ  機器属性情報、
２７，３１  選定表  ４０  削除情報、４１  追加情報、４２  選定表、
４３  再作成カテゴリ、４９  追加抽出パターン、５０  選定表、
５１  追加カテゴリ。
【図１】
2005309959.tif 000003
【図２】
2005309959.tif 000004
【図３】
2005309959.tif 000005
【図４】
2005309959.tif 000006
【図５】
2005309959.tif 000007
【図６】
2005309959.tif 000008
【図７】
2005309959.tif 000009
【図８】
2005309959.tif 000010
【図９】
2005309959.tif 000011
【図１０】
2005309959.tif 000012
【図１１】
2005309959.tif 000013
【図１２】
2005309959.tif 000014